(57)【要約】【課題】  操作部と表示部を開閉操作した際のガタ付きを防止するとともに開閉を検知して、それに応じた操作を可能とすることのできる携帯端末装置を提供すること。【解決手段】  操作部１０を備えた操作部側筐体２０と、表示部３０を備えた表示部側筐体４０とを備え、操作部側筐体の上に表示部側筐体が厚さ方向に重ねられるように配設され、両筐体の端部近傍に厚さ方向に沿って配置された回転軸５０を中心として回転自在に連結された携帯端末装置において、何れかの筐体の回転軸と同心円上に開閉検出用スイッチ６０を他方の筐体の回転軸と同心円上に一対の弾性変形自在な部材を配置し、これら部材のいずれかが開閉検出用スイッチを押圧するので、操作部と表示部を開閉操作した際のガタ付きを防止するとともに開閉を検知して、それに応じた操作を可能とすることができる。【選択図】  図１
2006042094.tif 000002
【特許請求の範囲】
【請求項１】
操作部を備えた操作部側筐体と、表示部を備えた表示部側筐体とを備え、
前記操作部側筐体と表示部側筐体とが、これらの端部近傍にこれらの厚さ方向に沿って配置された回転軸を中心として互いに回転自在に連結された携帯端末装置において、
前記何れか一方の筐体の前記回転軸と同心円上の位置に開閉検出用スイッチを設けるとともに、他方の筐体の前記回転軸と同心円上の位置に、前記開閉検出用スイッチを押圧する弾性変形自在な部材を設けたことを特徴とする携帯端末装置。
【請求項２】
前記部材が前記回転軸の中心を挟んで対向する同心円上に一対設けられ、その少なくとも一方が前記開閉検出用スイッチを押圧することを特徴とする請求項１に記載の携帯端末装置。
【請求項３】
前記開閉検出用スイッチと操作キー用スイッチのラバー部とが一体形成されたことを特徴とする請求項１または２の何れかに記載の携帯端末装置。
【請求項４】
前記開閉検出用スイッチは、筐体内の基板上に配置されたことを特徴とする請求項１ないし３のいずれか一に記載の携帯端末装置。
【発明の詳細な説明】
【技術分野】
【０００１】
この発明は、携帯端末装置の改良に関する。
【背景技術】
【０００２】
従来、小型化を図った携帯端末装置として操作部を備えた操作部側筐体と、表示部を備えた表示部側筐体とが、両筐体の端部近傍に厚さ方向に沿って配置された回転軸を中心として回転自在に連結された形式（リボルバー式）のものが知られている。（例えば、特許文献１参照。）。
【０００３】
従来の携帯端末装置にあっては、回転開閉時のガタ付きを防止するために、操作部側筐体と表示部側筐体との間に緩衝部材を配置することが好ましい。また、装置の開閉状態を検出して開状態或いは閉状態に合わせたキー操作が可能であることが望ましい。この開閉状態を検出を検出する手段として、磁気センサースイッチと磁石を使用し、両者が接近している場合には閉状態、離れている場合は開状態と判断するものが知られている。
また、回転ヒンジ部に回転と共に動く凸部の付いた回転板（金属片）が配置されており、その金属片がマイクロスイッチをＯＮ、ＯＦＦするものが知られている。
【特許文献１】特開２００２−３４４５９２号公報
【発明の開示】
【発明が解決しようとする課題】
【０００４】
ところで、これらのリボルバータイプの携帯端末装置には、磁気センサースイッチと磁石或いは回転板とマイクロスイッチと云った、筐体の開閉状態を検出するための専用の部品が必要とされている。また、開閉状態を検出するために磁石を使用すると、例えば形態電話器にナビゲーション機能を搭載する際に必要とされる磁気センサの配置が、前記磁石の存在によって制限されるという問題がある。
【０００５】
この発明は、このような事情を考慮してなされたもので、回転開閉時のガタ付きを防止し、特別な部品を必要とすることなく開あるいは閉の操作に応じた機能の動作を可能とする携帯端末装置を提供することを目的とする。
【課題を解決するための手段】
【０００６】
上記目的を達成するために、この発明は以下の手段を提案している。
本発明は、操作部を備えた操作部側筐体と、表示部を備えた表示部側筐体とを備え、前記操作部側筐体と表示部側筐体とが、これらの端部近傍にこれらの厚さ方向に沿って配置された回転軸を中心として互いに回転自在に連結された携帯端末装置において、前記何れか一方の筐体の前記回転軸と同心円上の位置に開閉検出用スイッチを設けるとともに、他方の筐体の前記回転軸と同心円上の位置に、前記開閉検出用スイッチを押圧する弾性変形自在な部材を設けたことを特徴とする。
これにより、携帯端末装置は、回転開閉時のガタ付きを防止することができるとともに、開閉状態を検出してそれに合わせた操作を可能とすることができる。
【０００７】
また本発明は、前記部材が前記回転軸の中心を挟んで対向する同心円上に一対設けられ、その少なくとも一方が前記開閉検出用スイッチを押圧することを特徴とする。
これにより、例えば、回転軸を中心とする操作により、開と閉の二つの位置でスイッチを作動させることができる。
【０００８】
また本発明は、前記開閉検出用スイッチと操作キー用スイッチのラバー部とが一体形成されたことを特徴とする。
これにより、特別な部品を設けることなく、安価に提供することができる。
【０００９】
また本発明は、前記開閉検出用スイッチは、筐体内の基板上に配置されたことを特徴とする。
これにより、携帯端末装置の開閉状態を検出してそれに合わせた操作を可能とすることができる。
【発明の効果】
【００１０】
本発明によれば、操作部を備えた操作部側筐体と、表示部を備えた表示部側筐体とを備え、前記操作部と表示部を同じ方向に向け、かつ前記操作部側筐体の上に前記表示部側筐体が厚さ方向に重ねられるように配設された前記操作部側筐体と表示部側筐体とが、両筐体の端部近傍に厚さ方向に沿って配置された回転軸を中心として回転自在に連結された携帯端末装置において、前記何れか一方の筐体の回転軸と同心円上に開閉検出用スイッチを他方の筐体の回転軸と同心円上に緩衝部材を配置し、この緩衝部材が前記開閉検出用スイッチを押圧するので、回転開閉時のガタ付きを防止することができるとともに、開閉状態を検出してそれに合わせた操作を可能とすることができる。
【発明を実施するための最良の形態】
【００１１】
以下、図面を参照し、この発明の実施の形態について説明する。図１は、本発明に係る携帯端末装置の一実施の形態である電話機１００を示す斜視図、図２は本発明の一実施の形態である電話機の分解斜視図である。ここで、携帯端末装置である電話機１００は、操作部１０を備えた操作部側筐体２０と、表示部３０を備えた表示部側筐体４０とを備え、前記操作部１０と表示部３０を同じ方向に向け、かつ前記操作部側筐体２０の上に前記表示部側筐体４０が厚さ方向に重ねられるように配設された前記操作部側筐体２０と表示部側筐体４０とが、両筐体の端部近傍に厚さ方向に沿って配置された回転軸５０を中心として回転自在に連結されており、前記何れか一方の筐体の回転軸５０と同心円上に開閉検出用スイッチ６０を他方の筐体の回転軸５０と同心円上に一対の緩衝部材７０ａ、７０ｂが配置されている。
【００１２】
操作部側筐体２０は、図１に示すように正面に操作部１０の数字ボタン１１、電源スイッチボタン１２および通話ボタン１３、操作キー１４、マイクロフォン８０等が配置されている。また、表示部３０は、液晶とバックライトとを有する透過型液晶モニタや、半透過型液晶モニタだけでなく、反射型液晶モニタ等が採用される。なお表示部側筐体４０には、スピーカ４１が設置されている。
【００１３】
また、図２に示すように操作部側筐体２０の上端近傍で、回転軸５０の周囲に同心円状態に開閉検出用スイッチ６０が配置されている。更に、上に突出した開閉検出用スイッチ６０の周囲には、緩衝部材７０の嵌合される嵌合凹部９０ａが形成されている。また、回転軸５０と同心円上でかつ嵌合凹部９０ａと対称位置に嵌合凹部９０ｂが形成されている。一方、操作部側筐体２０と回転自在に当接する表示部側筐体４０の裏面側４０ａには、図２に示すように回転軸５０と同心円上でかつ回転軸中心を挟んで対向する嵌合凹部９０ａ、９０ｂに対応した位置に緩衝部材７０ａ、７０ｂがそれぞれ配置されている。
【００１４】
図３（ａ）は、本発明の電話機に使用される第１の緩衝部材の断面図、（ｂ）はその斜視図である。図４は、第２の緩衝部材の断面図（ａ）、（ｂ）はその斜視図である。第１の緩衝部材７０ａは、例えばエラストマーの合成樹脂等の弾性部材から構成されており、基板部７１と裁頭角錐部７２とから構成されている。また、傷の目立たない色、例えば、ダークグレー等に構成されている。第２の緩衝部材７０ｂも同様の材料から構成されている。ただし、第２の緩衝部材７０ｂは、裁頭角錐部７２の中央に凹部７３が形成されている。この凹部７３は、開閉検出用スイッチ６０を充分に収納することのできる寸法を有しており、対向配置された場合に、開閉検出用スイッチ６０を押圧することはない。
【００１５】
図５は、本発明の電話機の閉状態を示す平面図、図６はそのＡ−Ａ線断面図である。この状態では、表示部側筐体４０側に配設された緩衝部材７０ｂが、操作部側筐体２０側に形成された嵌合凹部９０ａに嵌合すると共に、表示部側筐体４０側に配設された緩衝部材７０ａが、操作部側筐体２０側に形成された嵌合凹部９０ｂに嵌合しており、ガタ付きが生じる虞がない。しかも、図６に示すように開閉検出用スイッチ６０が緩衝部材７０ｂの凹部７３に位置しているので、ラバーキー２１により保持されている導電部６０ａが基板２２に当接することなく、スイッチがＯＮとなることがない。
【００１６】
図７は、本発明の電話機１００の開状態を示す平面図、図８はそのＢ−Ｂ線断面図である。この状態では、表示部側筐体４０側に配設された緩衝部材７０ａが、操作部側筐体２０側に形成された嵌合凹部９０ａに嵌合すると共に、表示部側筐体４０側に配設された緩衝部材７０ｂが、操作部側筐体２０側に形成された嵌合凹部９０ｂに嵌合しており、ガタ付きが生じる虞がない。また、図８に示すように開閉検出用スイッチ６０が緩衝部材７０ａにより押圧され、ラバーキー２１により保持されている導電部６０ａが基板２２に当接し、スイッチがＯＮとなる。スイッチがＯＮとなることにより、電話機１００の開閉状態を検知して電源スイッチボタン１２や通話ボタン１３等の操作が可能となる。
【００１７】
以上のように構成された携帯端末装置において、開閉状態の検出を別部品である磁気センサーやマイクロスイッチを設けることなく、テンキーを形成するラバーキー２１の中に取り込んだ導電部を利用して検出することができる。したがって、コストダウンを達成することができる。
【００１８】
なお、以上の説明では、開閉検出用スイッチ６０を操作部側筐体２０側に設け、緩衝部材７０を表示部側筐体４０側に設ける場合について説明したが、開閉検出用スイッチ６０を表示部側筐体４０側に設け、緩衝部材７０を操作部側筐体２０側に設けてもよい。このように構成しても同様の効果を得ることができる。また開閉検出用スイッチ６０は、前記回転軸を中心とする筐体の変位によって、弾性変形を伴って機械的に変位して接点を開または閉に切り換える機能を持つ限り、その具体的構成が図示のものに限定されるものではない。
【００１９】
この発明は、特に、リボルバータイプの電話機において、磁気センサースイッチと磁石或いは回転板とマイクロスイッチと云った、開閉状態を検出するための専用の部品を必要とすることなく、開閉状態を検出することができるため、産業上の利用可能性が認められる。また、本発明における携帯端末装置には、携帯電話機のみならず、モバイル端末、ＰＤA等をも含むものとする。
【図面の簡単な説明】
【００２０】
【図１】本発明に係る携帯端末装置の一実施の形態である電話機を示す斜視図である。
【図２】本発明の一実施の形態である電話機の分解斜視図である。
【図３】同電話機に使用される第１の緩衝部材の断面図（ａ）、斜視図（ｂ）である。
【図４】同電話機に使用される第２の緩衝部材の断面図（ａ）、斜視図（ｂ）である。
【図５】同電話機の閉状態を示す平面図である。
【図６】図５におけるＡ−Ａ線断面図である。
【図７】同電話機の開状態を示す平面図である。
【図８】図７におけるＢ−Ｂ線断面図である。
【符号の説明】
【００２１】
１００  電話機
１０    操作部
１１    数字ボタン
２０    操作部側筐体
３０    表示部
４０    表示部側筐体
５０    回転軸
６０    開閉検出用スイッチ
７０ａ，７０ｂ    緩衝部材
８０    マイクロフォン
９０ａ，９０ｂ    嵌合凹部  
【図１】
2006042094.tif 000003
【図２】
2006042094.tif 000004
【図３】
2006042094.tif 000005
【図４】
2006042094.tif 000006
【図５】
2006042094.tif 000007
【図６】
2006042094.tif 000008
【図７】
2006042094.tif 000009
【図８】
2006042094.tif 000010